【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
（ａ）画像アイコンのアレイと、  （ｂ）画像アイコン集光要素のアレイであって、前記画像アイコン集光要素のアレイが、画像アイコンのアレイに対して、前記画像アイコン集光要素の少なくとも一部が、前記画像アイコンの少なくとも一部の合成拡大された画像を少なくとも一つ形成するために十分な距離をもって配置される、前記画像アイコン集光要素のアレイと、  を備え、  前記画像アイコンのアレイ及び前記画像アイコン集光要素のアレイを備える前記システムが５０ミクロン未満の厚さを有するか、又は、画像アイコン集光要素が５０ミクロン未満の有効直径を有するか、の少なくとも一つである、合成倍率マイクロ光学システム。
【請求項２】
（ａ）画像アイコンのアレイと、  （ｂ）画像アイコン集光要素のアレイであって、前記集光要素が多角形ベースのマルチゾーン集光要素である集光要素を含む、画像アイコン集光要素のアレイと、  を備える合成倍率光学システム。
【請求項３】
画像と、  複数の画像集光要素と、  を備える合成倍率光学システムであって、  前記集光要素と前記画像が、運動効果を有する合成画像を提供するために、互いに対して配置され、前記システムが軸を中心に傾斜されると前記合成画像が動くように見え、前記システムがセキュリティ装置又は認証装置の中に組み込まれる、合成倍率光学システム。
【請求項４】
前記システムが軸を中心に傾斜されると、前記合成画像が視差直交運動効果を呈するように見える、請求項３に記載の合成倍率光学システム。
【請求項５】
（ａ）画像アイコンのアレイと、  （ｂ）画像アイコン集光要素のアレイであって、前記画像アイコン集光要素のアレイが、画像アイコンのアレイに対して、前記画像アイコン集光要素の少なくとも一部が、前記画像アイコンの少なくとも一部の合成拡大された画像を少なくとも一つ形成するために十分な距離をもって配置される、前記画像アイコン集光要素のアレイと、  を備え、  前記画像アイコンのアレイと前記画像アイコン集光要素のアレイの比率が前記少なくとも一つの合成拡大された画像に運動効果を提供し、  前記画像アイコンがポジティブ画像アイコン及びネガティブ画像アイコンからなるグループから選択される、合成倍率マイクロ光学システム。
【請求項６】
前記システムがセキュリティ装置または認証装置の中に組み込まれる、請求項１、２、５のいずれかに記載のシステム。
【請求項７】
前記集光要素が、非円柱集光要素である、請求項１〜６のいずれかに記載のシステム。
【請求項８】
前記集光要素が非球面集光要素である、請求項７に記載のシステム。
【請求項９】
前記集光要素が、円形のベース、略円形のベース、六角形のベース、略六角形のベース、正方形のベース、略正方形のベース、三角形のベース、略三角形のベース、及びその組み合わせからなるグループから選択される、ベース形状を有する、請求項１〜６のいずれかに記載のシステム。
【請求項１０】
前記集光要素が４以下のＦ値を有する、請求項１〜６のいずれかに記載のシステム。
【請求項１１】
前記集光要素が２以下のＦ値を有する、請求項７に記載のシステム。
【請求項１２】
前記画像アイコンのアレイ及び前記画像アイコン集光要素のアレイは、各々アレイに対称軸と反復周期を有し、前記画像アイコンの反復周期の、前記集光要素の反復周期に対する比率が実質的に１に等しく、マイクロ画像アイコンの平面アレイの対称軸と画像アイコン集光要素の平面アレイの対応する対称軸が回転するようにずれている、請求項１又は６に記載のシステム。
【請求項１３】
視差直交運動効果が提供される、請求項１２に記載のシステム。
【請求項１４】
前記画像アイコンのアレイ及び前記画像アイコン集光要素のアレイは、各々反復周期を有し、前記画像アイコンの反復周期の、前記集光要素の反復周期に対する比率が１より大きい、請求項１又は６に記載のシステム。
【請求項１５】
前記画像アイコンのアレイ及び前記画像アイコン集光要素のアレイは、各々反復周期を有し、前記画像アイコンの反復周期の、前記集光要素の反復周期に対する比率が１未満である、請求項１又は６に記載のシステム。
【請求項１６】
前記画像アイコンのアレイ及び前記画像アイコン集光要素のアレイは、各々アレイに対称軸と反復周期を有し、前記画像アイコンの反復周期の、前記集光要素の反復周期に対する比率が軸非対称であり、前記比率が対称軸の一方では１未満であり、対称軸の他方では１より大きい、請求項１又は６に記載のシステム。
【請求項１７】
各集光要素が約１０ミクロンから約３０ミクロンの有効直径を有する、請求項１〜６のいずれかに記載のシステム。
【請求項１８】
各集光要素が３０ミクロン未満の有効直径を有する、請求項１〜６のいずれかに記載のシステム。
【請求項１９】
約４５ミクロン未満の総厚さを有する、請求項１〜６のいずれかに記載のシステム。
【請求項２０】
約１０ミクロンから約４０ミクロンの総厚さを有する、請求項１〜６のいずれかに記載のシステム。
【請求項２１】
約４０ミクロン未満の焦点距離を有する集光要素を含む、請求項１〜６のいずれかに記載のシステム。
【請求項２２】
約１０ミクロンから約５０ミクロン未満の焦点距離を有する集光要素を含む、請求項１〜６のいずれかに記載のシステム。
【請求項２３】
一つの合成拡大された画像を別の合成拡大された画像にモーフィングさせるためのモーフィング効果が提供される、請求項１、２、又は６のいずれかに記載のシステム。
【請求項２４】
各画像アイコンが、インクジェット印刷方法、レーザジェット印刷方法、凸版印刷方法、フレキソ印刷方法、グラビア印刷方法、凹版印刷方法、及び昇華印刷方法からなるグループから選択される印刷方法により形成される、請求項１〜４、又は６のいずれかに記載のシステム。
【請求項２５】
画像アイコンが基板内の凹部として形成され、前記凹部が、基板とは異なる屈折率を有する材料、染料、金属、有色素材料、またはその組み合わせで任意選択的に充填されることができる間隙を形成する、請求項１〜６のいずれかに記載のシステム。
【請求項２６】
前記システム内の異なる奥行きに複数の画像アイコンの層を有し、前記集光要素が前記システム内の画像アイコンの複数の層の異なる奥行きでの焦点合わせのために異なる焦点距離を有する、請求項１、２、又は６のいずれかに記載のシステム。
【請求項２７】
前記集光要素が非円柱レンズであり、反射層が前記画像アイコンのアレイの、前記集光要素と反対側の表面に隣接して配置される、請求項１〜６のいずれかに記載のシステム。
【請求項２８】
前記集光要素の上に配置される透明タンパー表示材料を含む、請求項１〜６のいずれかに記載のシステム。
【請求項２９】
前記画像アイコンのアレイの、前記集光要素と反対側に設置される、第２の集光要素のアレイを含む、請求項１、２、又は６のいずれかに記載のシステム。
【請求項３０】
二つの前記集光要素のアレイの間に第２の画像アイコンのアレイを有する、請求項２９に記載のシステム。
【請求項３１】
文書上の積層フィルムとして作用する、請求項６に記載の装置。
【請求項３２】
文書用のセキュリティ装置または認証装置として動作し、前記文書がＩ．Ｄ．カード、クレジットカード、デビットカード、運転免許証、金融書類、銀行券、小切手及び貨幣からなるグループから選択される、請求項６に記載の装置。
【請求項３３】
前記装置が紙幣用紙のセキュリティスレッドの中に組み込まれる、請求項６に記載の装置。
【請求項３４】
（ａ）画像アイコンのアレイを提供するステップと、  （ｂ）画像アイコン集光要素のアレイを提供するステップであって、前記画像アイコンのアレイ及び前記画像アイコン集光要素のアレイを備える前記システムが５０ミクロン未満の厚さを有するか、又は、画像アイコン集光要素が５０ミクロン未満の有効直径を有するか、の少なくとも一つである、ステップと、  （ｃ）前記画像アイコン集光要素のアレイを、画像アイコンのアレイに対して、前記画像アイコン集光要素の少なくとも一部が、前記画像アイコンの少なくとも一部の合成拡大された画像を少なくとも一つ形成するために十分な距離をもって配置するステップと、  を含む、合成倍率マイクロ光学システムを製造する方法。
【請求項３５】
（ａ）画像アイコンのアレイを提供するステップと、  （ｂ）画像アイコン集光要素のアレイを提供するステップであって、前記画像アイコンのアレイ及び前記画像アイコン集光要素のアレイを備える前記システムが５０ミクロン未満の厚さを有するか、又は、画像アイコン集光要素が５０ミクロン未満の有効直径を有するか、の少なくとも一つである、ステップと、  （ｃ）前記画像アイコン集光要素のアレイを、画像アイコンのアレイに対して、前記画像アイコン集光要素の少なくとも一部が、前記画像アイコンの少なくとも一部の合成拡大された画像を少なくとも一つ形成するために十分な距離をもって配置するステップと、  を含む、文書セキュリティ装置を製造する方法。
【請求項３６】
運動効果、拡大縮小、視覚的奥行き効果、あるいは前記効果の組み合わせを含む視覚的効果を合成倍率マイクロ光学システム内で制御する方法であって、  （ａ）画像アイコンのアレイを提供するステップと、  （ｂ）画像アイコン集光要素のアレイを提供するステップであって、前記画像アイコンのアレイ及び前記画像アイコン集光要素のアレイを備える前記システムが５０ミクロン未満の厚さを有するか、又は、画像アイコン集光要素が５０ミクロン未満の有効直径を有するか、の少なくとも一つである、ステップと、  （ｃ）前記画像アイコン集光要素のアレイを、画像アイコンのアレイに対して、前記画像アイコン集光要素の少なくとも一部が、前記画像アイコンの少なくとも一部の合成拡大された画像を少なくとも一つ形成するために十分な距離をもって配置するステップと、  （ｄ）前記画像アイコンの、前記集光要素に対する比率が、１未満、実質的に１に等しい、及び１より大きい、からなるグループから選択され、前記画像アイコンの少なくとも一部と前記画像アイコン集光要素の少なくとも一部とが整列されているか、あるいはずれているかを選択するステップと、  を含む方法。
【請求項３７】
運動効果、拡大縮小、視覚的奥行き効果、または前記効果の組み合わせを含む視覚的効果を、セキュリティ装置または認証装置において制御する方法であって、  （ａ）画像アイコンのアレイを提供するステップと、  （ｂ）画像アイコン集光要素のアレイを提供するステップであって、前記画像アイコンのアレイ及び前記画像アイコン集光要素のアレイを備える前記システムが５０ミクロン未満の厚さを有するか、又は、画像アイコン集光要素が５０ミクロン未満の有効直径を有するか、の少なくとも一つである、ステップと、  （ｃ）前記画像アイコン集光要素のアレイを、画像アイコンのアレイに対して、前記画像アイコン集光要素の少なくとも一部が、前記画像アイコンの少なくとも一部の合成拡大された画像を少なくとも一つ形成するために十分な距離をもって配置するステップと、  （ｄ）前記画像アイコンの、前記集光要素に対する比率が、１未満、実質的に１に等しい、及び１より大きい、からなるグループから選択され、前記画像アイコンの少なくとも一部と前記画像アイコン集光要素の少なくとも一部とが整列されているか、あるいはずれているかを選択するステップと、  を含む方法。
【請求項３８】
合成倍率光学システムで使用するための画像アイコンであって、前記合成倍率光学システムが、  （ａ）画像アイコンのアレイと、  （ｂ）画像アイコン集光要素のアレイであって、前記画像アイコン集光要素のアレイは、画像アイコンのアレイに対して、前記画像アイコン集光要素の少なくとも一部が、前記画像アイコンの少なくとも一部の合成拡大された画像を少なくとも一つ形成するように、及び形成するために十分な距離をもって配置される、画像アイコン集光要素のアレイと、  を含み、  前記画像アイコンが基板内で凹部として形成される画像アイコンを含み、前記凹部が、前記基板とのコントラストを提供する材料で任意選択的に充填される間隙を形成する、画像アイコン。
【請求項３９】
セキュリティ装置または認証装置で使用するための画像アイコンであって、前記セキュリティ装置または認証装置が、  （ａ）画像アイコンのアレイと、  （ｂ）画像アイコン集光要素のアレイであって、前記画像アイコン集光要素のアレイは、画像アイコンのアレイに対して、前記画像アイコン集光要素の少なくとも一部が、前記画像アイコンの少なくとも一部の合成拡大された画像を少なくとも一つ形成するように、及び形成するために十分な距離をもって配置される、画像アイコン集光要素のアレイと、  を含み、  前記画像アイコンが基板に凹部として形成される画像アイコンを含み、前記凹部が、前記基板とのコントラストを提供する材料で任意選択的に充填される間隙を形成する、画像アイコン。
【請求項４０】
（ａ）画像アイコンのアレイと、  （ｂ）画像アイコン集光要素のアレイであって、前記集光要素が多角形ベースのマルチゾーン集光要素を含む、画像アイコン集光要素のアレイと、  を備える文書セキュリティ装置。
【請求項４１】
（ａ）画像アイコンのアレイを提供するステップと、  （ｂ）画像アイコン集光要素のアレイを提供するステップであって、前記集光要素が多角形ベースのマルチゾーン集光要素を含む、ステップと、  （ｃ）前記画像アイコン集光要素のアレイを、画像アイコンのアレイに対して、前記画像アイコン集光要素の少なくとも一部が、前記画像アイコンの少なくとも一部の合成拡大された画像を少なくとも一つ形成するように、及び形成するために十分な距離をもって配置するステップと、  を含む、合成倍率光学システムを製造する方法。
【請求項４２】
（ａ）画像アイコンのアレイを提供するステップと、  （ｂ）画像アイコン集光要素のアレイを提供するステップであって、前記集光要素が多角形ベースのマルチゾーン集光要素を含む、ステップと、  （ｃ）前記画像アイコン集光要素のアレイを、画像アイコンのアレイに対して、前記画像アイコン集光要素の少なくとも一部が、前記画像アイコンの少なくとも一部の合成拡大された画像を少なくとも一つ形成するように、及び形成するために十分な距離をもって配置するステップと、  を含む、文書セキュリティ装置を製造する方法。
【請求項４３】
（ａ）１つ以上の任意選択的に周期性を有するマイクロ画像またはアイコンのアレイと、  （ｂ）１つ以上の任意選択的に周期性を有する非円柱マイクロ集光要素のアレイであって、前記マイクロ集光要素が５０ミクロン未満のベース直径を有する集光要素を含む、１つ以上のアレイと、  を備え、  前記集光要素は、前記集光要素の少なくとも一部が、前記マイクロ画像又はアイコンの少なくとも一部の合成拡大された画像を少なくとも一つ形成するために十分な距離に配置される、セキュリティまたは認証スレッド。
【請求項４４】
（ａ）材料内に形成される充填された凹部を含むマイクロ画像またはアイコンのアレイを有する材料と、  （ｂ）非円柱、フラットフィールド、非球面、または多角形ベースマルチゾーンの、マイクロ集光要素のアレイであって、前記アレイは、前記集光要素の少なくとも一部が、前記マイクロ画像またはアイコンの少なくとも一部の合成拡大された画像を少なくとも一つ形成するために十分な距離に配置され、前記マイクロ集光要素が約２０ミクロンから約３０ミクロンの範囲のベース直径を有する集光要素を含む、マイクロ集光要素のアレイと、  （ｃ）前記マイクロ画像またはアイコンのアレイをカバーする有色素または金属性の密封層または覆い隠す層と、  を備えるセキュリティまたは認証スレッド。
【請求項４５】
（ａ）基板を形成するための材料の層を提供するステップと、  （ｂ）前記基板の上面と下面に実質的に透明なあるいは澄んだ放射線硬化性樹脂を付与するステップと、  （ｃ）前記基板の前記上面に集光要素アレイを形成し、前記下面に凹部の形状を取るアイコンアレイを形成するステップと、  （ｄ）放射線源を使用して実質的に透明なあるいは澄んだ樹脂を硬化するステップと、  （ｅ）着色樹脂またはインクで前記アイコンアレイ凹部を充填するステップと、  （ｆ）前記アイコンアレイの前記下面から余分な樹脂またはインクを除去するステップと、  （ｇ）前記アイコンアレイの前記基板と反対側の表面を覆うために有色素または金属性の密封または覆い隠すコーティングまたは層を任意選択的に提供するステップと、  を含む、合成倍率光学システムを製造する方法。
【請求項４６】
請求項４５に従って製造された合成倍率光学システムを組み込むセキュリティまたは認証装置。
【請求項４７】
請求項４５に従って製造された合成倍率光学システムを組み込むセキュリティスレッド。
【請求項４８】
（ａ）１つ以上の任意選択的に周期性を有するマイクロ画像またはアイコンのアレイと、  （ｂ）１つ以上の任意選択的に周期性を有する非円柱マイクロ集光要素のアレイであって、前記マイクロ集光要素が多角形ベースのマルチゾーン素子である集光要素を含み、前記集光要素は、前記集光要素の少なくとも一部が、前記マイクロ画像またはアイコンの少なくとも一部の合成画像を少なくとも一つ形成するために十分な距離に配置される、１つ以上のアレイと、  を備えるセキュリティスレッド。
【請求項４９】
（ａ）画像アイコンのアレイと、  （ｂ）画像アイコン集光要素のアレイであって、前記画像アイコン集光要素のアレイは、画像アイコンのアレイに対して、前記画像アイコン集光要素の少なくとも一部が、前記画像アイコンの少なくとも一部の合成拡大された画像を少なくとも一つ形成するために十分な距離をもって配置される、画像アイコン集光要素のアレイと、  を備え、  前記画像アイコンのアレイ及び前記画像アイコン集光要素のアレイを備える前記システムが５０ミクロン未満の厚さを有するか、又は、画像アイコン集光要素が５０ミクロン未満の有効直径を有するか、の少なくとも一つであるセキュリティ装置。
【請求項５０】
前記集光要素が屈折集光要素、回折集光要素、反射集光要素、及びハイブリッド屈折／回折集光要素から選択される、請求項１〜６のいずれかに記載のシステム。
【請求項５１】
前記画像アイコン集光要素が、多角形のベース形状を有する多角形ベースのマルチゾーン集光要素である、請求項１〜６のいずれかに記載のシステム。
【請求項５２】
前記集光要素のアレイが少なくとも２つの実質的に同等な対称軸を有する、請求項１、２、又は６のいずれかに記載のシステム。
【請求項５３】
前記集光要素が、前記集光要素と関連付けられた前記画像アイコンの周辺端縁が視野から抜け落ちないように、前記関連付けられた画像アイコンの幅で拡大された視野を提供する、請求項１〜６のいずれかに記載のシステム。
【請求項５４】
前記画像アイコンのアレイと前記画像アイコン集光要素のアレイの間に配置される１つ以上の光学スペーサをさらに含む、請求項１〜６のいずれかに記載のシステム。
【請求項５５】
前記画像アイコンが、無色の材料、透明な材料、不透明な材料、インク材料、着色材料、薄い色のついた材料または染色材料のパターンから形成される、請求項１〜６のいずれかに記載のシステム。
【請求項５６】
前記画像アイコンが基板の表面に突起として形成され、前記突起の間の空間が任意選択的に、前記基板とは異なる屈折率を有する材料、染色材料、金属、着色材料、またはその組み合わせで充填される、請求項１〜６のいずれかに記載のシステム。
【請求項５７】
前記画像アイコンがそれらの背景に対してポジティブのアイコンまたはネガティブのアイコンであり、前記画像アイコンが、透明、半透明、有色素性、蛍光性、燐光性、金属化されている、実質的に逆反射性、光学的に可変な色を表示する、またはその組み合わせからなる画像アイコンを含む、請求項１〜４、または６のいずれかに記載のシステム。
【請求項５８】
前記画像アイコンがそれらの背景に対してポジティブのアイコンまたはネガティブのアイコンであり、前記背景が、透明、半透明、有色素性、蛍光性、燐光性、金属化されている、実質的に逆反射性、光学的に可変な色を表示する、またはその組み合わせである、請求項１〜４、または６のいずれかに記載のシステム。
【請求項５９】
前記画像アイコンがそれらの背景に対してポジティブのアイコンまたはネガティブのアイコンであり、印刷、ミクロ構造、付着金属化、パターン金属化、パターン金属化除去、又はその組み合わせから形成される画像アイコンを含む、請求項１〜４、または６のいずれかに記載のシステム。
【請求項６０】
前記画像アイコンがそれらの背景に対してポジティブのアイコンまたはネガティブのアイコンであり、写真乳剤の中で形成される、請求項１〜４、または６のいずれかに記載のシステム。
【請求項６１】
前記画像アイコンがそれらの背景に対してポジティブのアイコンまたはネガティブのアイコンであり、蛍光を発しない顔料、蛍光を発しない染料、蛍光顔料、蛍光染料、金属、金属粒子、磁性粒子、核磁気共鳴シグナチャ材料、レージング粒子、有機ＬＥＤ材料、光学的に可変の材料、蒸着材料、スパッタリングされた材料、化学析出材料、化学蒸着材料、薄膜干渉材料、液晶ポリマー、光学アップコンバージョン及び／またはダウンコンバージョン材料、二色性材料、光学活性材料、光学偏光材料、またはその組み合わせから形成される画像アイコンを含む、請求項１〜４、または６のいずれかに記載のシステム。
【請求項６２】
前記画像アイコンがそれらの背景に対してポジティブのアイコンまたはネガティブのアイコンであり、直接金属化または直接積層により形成される、請求項１〜４、または６のいずれかに記載のシステム。
【請求項６３】
前記画像アイコンがその背景に対してポジティブのアイコンまたはネガティブのアイコンであり、蒸発、スパッタリング、または化学析出、または化学蒸着のプロセスにより形成される、請求項１〜４、または６のいずれかに記載のシステム。
【請求項６４】
前記形成プロセスが金属材料を含む、請求項６３に記載のシステム。
【請求項６５】
前記画像アイコンがそれらの背景に対してポジティブのアイコンまたはネガティブのアイコンであり、パターン金属化除去によって形成される、請求項１〜４、または６のいずれかに記載のシステム。
【請求項６６】
前記反射層が金属化されている、請求項２７に記載のシステム。
【請求項６７】
前記システム又は装置が密封層によって保護され、前記密封層が前記複数の画像アイコンの平面アレイの、前記集光要素の平面アレイと反対側の側面に付与され、前記密封層の少なくとも一部が、透明、半透明、薄く色が付いている、有色素性、不透明、金属性、磁性、光学的に可変である、あるいはその組み合わせである、請求項１〜６のいずれかに記載のシステム。
【請求項６８】
前記密封層が視覚的効果を含む、請求項６７に記載のシステム。
【請求項６９】
前記密封層が、視覚的効果、導電性、静電容量、磁場検出またはその組み合わせに依存する、自動貨幣認証システム、検証システム、追跡調査システム、計数システム、検出システム、またはその組み合わせをサポートする、請求項６７又は６８に記載のシステム。
【請求項７０】
前記集光要素同士の間に間隙を有し、前記間隙が任意選択的に充填されている、請求項１〜６のいずれかに記載のシステム。
【請求項７１】
タンパー表示層を含む、請求項１〜６のいずれかに記載のシステム。
【請求項７２】
前記画像アイコンが、それらが表示される背景に対してポジティブのアイコンまたはネガティブのアイコンである、請求項１〜４、または６のいずれかに記載のシステム。
【請求項７３】
前記システム又は装置が照明された時、前記合成画像が影を有するように見える、請求項１、２、または６のいずれかに記載のシステム。
【請求項７４】
前記合成拡大画像が前記システムより深い空間平面上にあるように見える、請求項１または６のいずれかに記載のシステム。
【請求項７５】
前記合成拡大画像が前記システムの上方の空間平面上にあるように見える、請求項１または６のいずれかに記載のシステム。
【請求項７６】
前記システムの平面に交差する軸の回りで前記システムが回転すると、前記合成拡大画像が前記システムより深い空間平面と、前記システムの上方の空間平面の間を移動するように見える、請求項１または６のいずれかに記載のシステム。
【請求項７７】
画像アイコンの少なくとも一部と、画像アイコン集光要素の少なくとも一部の相対関係が、前記少なくとも一つの合成拡大画像に運動効果をもたらし、  前記システム又は装置が前記システムの軸を中心に傾斜されると、前記合成拡大画像が動くように見える、請求項１、２または６のいずれかに記載のシステム。
【請求項７８】
前記合成拡大画像が、形態、形状、サイズまたは色の内の１つ以上から、もう１つの形態、形状、サイズまたは色に変換されるように見える、請求項１または６のいずれかに記載のシステム。
【請求項７９】
前記変換が前記画像アイコンの反復周期と前記集光要素の反復周期のどちらかまたは両方の縮尺歪みにより生じる、請求項７８に記載のシステム。
【請求項８０】
前記変換が前記画像アイコンアレイ内に空間的に変化する情報を組み込むことによって生じる、請求項７８に記載のシステム。
【請求項８１】
前記合成拡大画像が三次元であるように見える、請求項１または６のいずれかに記載のシステム。
【請求項８２】
前記合成画像が、（１）前記システムより深い空間平面上にあるように見える、（２）前記システムの上方の空間平面上にあるように見える、（３）前記システムの平面に交差する軸の回りで前記システムが回転すると、前記システムより深い空間平面と前記システムの上方の空間平面の間で移動するように見える、（４）前記システムの平面上で移動するように見える、（５）形態、形状、サイズまたは色の内の１つ以上から、別の形態、形状、サイズまたは色に変換されるように見える、及び（６）三次元であるように見える、効果の内の２以上から選択される効果を有するように見える、請求項１または６のいずれかに記載のシステム。
【請求項８３】
前記２つ以上の効果が、同じ色要素またはグラフィック要素を有してよい、あるいは有さなくてよい、請求項８２に記載のシステム。
【請求項８４】
前記２つ以上の効果が異なる画像平面に見える、請求項８２に記載のシステム。
【請求項８５】
前記異なる画像平面が、形態、色、効果の移動方向、倍率、あるいはその組み合わせにおいてさらに異なる、請求項８４に記載のシステム。
【請求項８６】
前記合成拡大画像が複数のパターン、色、形状、あるいはその組み合わせのうちの少なくとも一つを有するように見える、請求項１、５または６のいずれかに記載のシステム。
【請求項８７】
前記集光要素が前記集光要素の中心焦点ゾーンの垂直ぶれをもたらす、請求項１、２または６のいずれかに記載のシステム。
【請求項８８】
前記画像アイコン集光要素のアレイからの複数の距離だけ離間される複数の画像アイコンを有する複数のアレイをさらに含み、  前記画像アイコン集光要素のアレイが、前記画像アイコンのアレイの多様な離間された距離に対応する複数の焦点距離を有する集光要素を含む、請求項１または６のいずれかに記載のシステム。
【請求項８９】
前記集光要素が非球面集光要素であり、前記画像アイコンが基板に凹部として形成され、前記凹部が、前記基板とは異なる屈折率を有する材料、染色材料、金属、有色素材料、またはその組み合わせで任意選択的に充填されることができる間隙を形成する、請求項１、２、５または６のいずれかに記載のシステム。
【請求項９０】
前記集光要素がピンホール光学部品を含む、請求項１、２、または６のいずれかに記載のシステム。
【請求項９１】
前記集光要素が垂直両眼視差を削減するために選択されるＦ値を有する、請求項１〜６のいずれかに記載のシステム。
【請求項９２】
前記集光要素が１未満の前記Ｆ値を有する、請求項１〜６に記載のシステム。
【請求項９３】
前記集光要素が３５ミクロンのベース直径、及び３０ミクロンの焦点距離を有する、請求項１〜６のいずれかに記載のシステム。
【請求項９４】
合成画像が目視されるためには除去されなければならない表面層をさらに含む、請求項１〜６のいずれかに記載のシステム。
【請求項９５】
前記画像アイコンのアレイと前記画像アイコン集光要素のアレイの間に配置される光学スペーサをさらに含み、  前記光学スペーサが約８ミクロンから約２５ミクロンの厚さを有する、請求項１〜６のいずれかに記載のシステム。
【請求項９６】
実質的に透明なポリマーから形成される光学スペーサをさらに含む、請求項１〜６に記載のシステム。
【請求項９７】
前記透明なポリマーが、さらにポリエステル、ポリプロピレン、ポリエチレン、ポリエチレンテレフタレート、及びポリ塩化ビニルからなるグループから選択される、請求項９６に記載のシステム。
【請求項９８】
前記画像アイコンが基板に凹部として形成され、前記凹部が前記基板とのコントラストを提供する材料で任意選択的に充填される間隙を形成する、請求項１〜６のいずれかに記載のシステム。
【請求項９９】
前記アイコン凹部が約０．５ミクロンから約８ミクロンの凹部深さを有する、請求項９８に記載のシステム。
【請求項１００】
製品認証のための手段を提供する、請求項１、２または６のいずれか１つに記載のシステム。
【請求項１０１】
前記製品が、個人の識別のための文書、製品または資産の所有権を反映する文書、金融商品及び流通証券、秘密情報と専有情報、健康用品、遊戯用具、薬剤、著作権を有する資料、食品包装、飲料包装、及び消費財からなるグループから選択される、請求項１００に記載のシステム。
【請求項１０２】
前記システムが商品に付加されるセキュリティ又は認証装置に組み込まれ、前記商品が、  パスポート、ＩＤカード、運転免許証、ビザ、出生記録、バイタルレコード、有権者登録カード、投票用紙、社会保障カード、債権、フードスタンプ、郵便切手、及び納税印紙、  貨幣、紙幣のセキュリティスレッド、ポリマー貨幣の特徴、及び紙幣の特徴、  権利書、捺印証書、免許、卒業証書、及び証明書、  裏書された銀行小切手、企業小切手、個人小切手、銀行バウチャー、株券、トラベラーズチェック、郵便為替、クレジットカード、デビットカード、ＡＴＭカード、アフィニティカード、プリペイドテレフォンカード、及びギフト券、  映画の台本、法律文書、知的財産、医療記録／病院記録、処方箋書式／パッド及び秘伝のレシピ、  ファブリック及びホームケア製品、  美容製品、  乳児及び家族用品、  健康用品、  食品と飲料の包装、  織物類包装、  電子機器、パーツまたは構成部品、  衣料、スポーツウェア、及び履物製品、  バイオ技術医薬品、  航空宇宙用部品とパーツ、  自動車部品とパーツ、  スポーツ用品、  タバコ製品、  ソフトウェア、  コンパクトディスク及びＤＶＤ、  爆発物、  ノベルティ品目、ギフトラップ及びリボン、  書籍及び雑誌、  学校用品及びオフィス備品、  名刺、  出荷文書と梱包、  ノートカバー、  ブックカバー、  しおり、  イベント及び交通機関の券、  賭博及び遊戯用製品及び装置、  家具インテリア製品、  床板及び壁装材、  宝石及び時計、  ハンドバッグ、  芸術品、収集品、及び記念品、  玩具、  店頭及び商品ディスプレイ、  カモフラージュとして及び財産追跡調査として、認証または機能強化のために、ブランド製品または文書に適用される製品マーキングとラベリング製品、  のグループから選択される、請求項１〜６のいずれか１つに記載のシステム。
【請求項１０３】
前記装置が文書中に部分的に埋め込まれている、請求項６に記載の装置。
【請求項１０４】
文書セキュリティ装置の中に組み込まれる、請求項６に記載の装置。
【請求項１０５】
前記集光要素が非円柱レンズであり、反射層が前記マイクロ画像アイコンのアレイの、前記集光要素と反対側の表面に隣接して配置される、請求項６に記載の装置。
【請求項１０６】
前記装置が貨幣に組み込まれ、機械検出可能な特徴を含む、請求項６に記載の装置。
【請求項１０７】
前記セキュリティスレッドがウィンドウ表示のセキュリティスレッドである、請求項３３に記載の装置。
【請求項１０８】
前記ウィンドウ表示のセキュリティスレッドが、画像コントラストを増加するため、または追加的な認証機能を提供するため、あるいはその両方のために、１つ以上の、有色素層、染色層、充填層、またはコーティングされた密封層を組み込む、請求項１０７に記載の装置。
【請求項１０９】
前記ウィンドウ表示のセキュリティスレッドが、導電性、磁気特性、ＮＭＲ検出能、またはその組み合わせを含む、請求項１０７に記載の装置。
【請求項１１０】
生成された前記合成拡大画像が前記セキュリティスレッドの幅より大きい、請求項１０７に記載の装置。
【請求項１１１】
前記ウィンドウ表示のセキュリティスレッドが、前記集光要素の背後に１つ以上の有色素性の、密封層または覆い隠す層を含む、請求項１０７に記載の装置。
【請求項１１２】
前記システムがセキュリティ装置または認証装置に組み込まれる、請求項３４に記載の方法。
【請求項１１３】
前記間隙が、前記基板とは異なる屈折率を有する材料、染色材料、金属、有色素材料、またはその組み合わせで充填される、請求項３８に記載の画像アイコン。
【請求項１１４】
前記セキュリティ装置または認証装置が文書セキュリティ装置である、請求項３９に記載のセキュリティ装置または認証装置で使用するための画像アイコン。
【請求項１１５】
前記間隙が、前記基板とは異なる屈折率を有する材料、染色材料、金属、有色素材料、またはその組み合わせで充填される、請求項３９に記載の画像アイコン。
【請求項１１６】
前記システムがセキュリティ装置または認証装置の中に組み込まれる、請求項４０に記載の合成倍率光学システム。
【請求項１１７】
前記集光要素が、屈折集光要素、回折集光要素、反射集光要素、及びハイブリッド屈折／回折集光要素から選択される、請求項４０に記載の文書セキュリティ装置。
【請求項１１８】
前記システムがセキュリティ装置または認証装置に組み込まれる、請求項４１に記載の合成倍率光学システムを製造する方法。
【請求項１１９】
前記集光要素が４以下のＦ値を有する、請求項４０に記載のシステム。
【請求項１２０】
前記集光要素が５０ミクロン未満の有効直径を有する、請求項１〜６のいずれかに記載のシステム。
【請求項１２１】
前記集光要素が２以下のＦ値を有する、請求項５に記載の合成倍率マイクロ光学システム。
【請求項１２２】
前記画像アイコン集光要素が、約１５ミクロンから約３５ミクロンの有効直径を有し、約１０ミクロンから約３０ミクロンの焦点距離を有する集光要素を含む、請求項１、２、５、又は６のいずれかに記載のシステム。
【請求項１２３】
前記画像アイコン集光要素の平面アレイが、少なくとも回転対称の位数３を有する、請求項１、２、５、又は６のいずれかに記載のシステム。
【請求項１２４】
前記画像アイコン集光要素により形成された前記少なくとも一つの合成拡大画像が、  ｉ．前記セキュリティ装置が傾けられるか異なる視角から見られると、運動効果を示す、  ｉｉ．前記セキュリティ装置の厚さよりも深い空間平面上にあるように見える、  ｉｉｉ．前記セキュリティ装置より上の空間平面上にあるように見える、  ｉｖ．前記セキュリティ装置が方位角的に回転されると、前記セキュリティ装置の厚さよりも深い空間平面上と、前記セキュリティ装置より上の空間平面上の間で揺れる、  ｖ．前記セキュリティ装置が方位角的に回転されるか、又は異なる視点から見られると、形態、形状、サイズまたは色の内の１つ以上から、別の形態、形状、サイズまたは色に変換される、  ｖｉ．三次元画像に見える、  ｖｉｉ．前記セキュリティ装置が照明されると、前記セキュリティ装置の空間平面上に影があるように見える  ことのうちの少なくとも一つを呈する、請求項４９に記載のセキュリティ装置。
【請求項１２５】
前記画像アイコンが微細構造要素として基板に形成される、請求項１〜６のいずれかに記載のシステム。